(57)【要約】      （修正有）【課題】ブランドロゴを表示するスペースと視認性のよい複数の小時計とを備え、デザインの美観を向上させた電子時計を提供する。【解決手段】電子時計１０は、文字板１１と、文字板１１に設けられた複数の小時計と、を備え、少なくとも一つの小時計の中心７０ａ、８０ａと文字板１１の中心１１ａとを結ぶ直線Ｌ１、Ｌ２と、文字板１１の１２時位置と文字板１１の中心１１ａとを結ぶ基準線ＣＬと、でなす中心角は、６１度以上７０度以下である。【選択図】図５
2015169501.tif 000002
【特許請求の範囲】
【請求項１】
文字板と、
前記文字板に設けられた複数の小時計と、を備え、
少なくとも一つの前記小時計の中心と前記文字板の中心とを結ぶ直線と、前記文字板の１２時位置と前記文字板の中心とを結ぶ基準線と、でなす中心角は、６１度以上７０度以下であることを特徴とする電子時計。
【請求項２】
前記複数の小時計は、第１小時計および第２小時計を含み、
前記第１小時計の中心と前記文字板の中心とを結ぶ第１直線と、前記基準線と、でなす第１の角は、６１度以上７０度以下であり、
前記第２小時計の中心と前記文字板の中心とを結ぶ第２直線と、前記基準線と、でなす第２の角は、６１度以上７０度以下であることを特徴とする請求項１に記載の電子時計。
【請求項３】
前記第１の角と前記第２の角とは、６６度であることを特徴とする請求項２に記載の電子時計。
【請求項４】
前記第１小時計と前記第２小時計とは、前記基準線に対して線対称の位置に配置されていることを特徴とする請求項２または３に記載の電子時計。
【請求項５】
前記複数の小時計は三つであることを特徴とする請求項１から４のいずれか一項に記載の電子時計。
【請求項６】
前記小時計は円形であることを特徴とする請求項１から５のいずれか一項に記載の電子時計。
【請求項７】
前記複数の小時計のうち、少なくとも一つの前記小時計は、外径が異なっていることを特徴とする請求項６に記載の電子時計。
【請求項８】
文字板と、
前記文字板に設けられた第１小時計および第２小時計を含む複数の小時計と、を備え、
前記第１小時計の中心と前記文字板の中心とを結ぶ第１直線と、前記第２小時計の中心と前記文字板の中心とを結ぶ第２直線と、でなす中心角は、１２２度以上１４０度以下であることを特徴とする電子時計。
【請求項９】
前記中心角は、１３２度であることを特徴とする請求項８に記載の電子時計。
【請求項１０】
前記第１小時計と前記第２小時計とは、前記文字板の１２時位置と６時位置とを結ぶ直線に対して線対称の位置に配置されていることを特徴とする請求項８または９に記載の電子時計。
【請求項１１】
前記複数の小時計は、三つであることを特徴とする請求項８から１０のいずれか一項に記載の電子時計。
【請求項１２】
前記小時計は、円形であることを特徴とする請求項７から１０のいずれか一項に記載の電子時計。
【請求項１３】
少なくとも一つの前記小時計は、外径が異なっていることを特徴とする請求項１２に記載の電子時計。
【請求項１４】
文字板と、
前記文字板に設けられた第１小時計と、第２小時計と、第３小時計と、を備え、
前記第１小時計および前記第２小時計の少なくとも一方は、前記文字板の３時位置と９時位置とを結ぶ直線に重なる位置に設けられ、
前記第３小時計は、前記文字板の中心と６時位置とを結ぶ直線に重なる位置に設けられ、
前記第１小時計、前記第２小時計および前記第３小時計の少なくとも一つは、外径が異なっていることを特徴とする電子時計。
【請求項１５】
前記第１小時計、前記第２小時計および前記第３小時計は、円形であることを特徴とする請求項１４に記載の電子時計。
【請求項１６】
前記第３小時計の外径は、前記第１小時計および前記第２小時計の外径より大きいことを特徴とする請求項１４または１５に記載の電子時計。
【請求項１７】
前記第１小時計、前記第２小時計および前記第３小時計は、機能情報を表示し、
前記第３小時計は、前記第１小時計および前記第２小時計より多い機能情報を表示することを特徴とする請求項１４から１６のいずれか一項に記載の電子時計。
【発明の詳細な説明】
【技術分野】
【０００１】
本発明は、電子時計に関する。
【背景技術】
【０００２】
従来、衛星信号を受信して現在地の現地時刻を表示するワールドタイム機能を備えた電子時計が知られていた。例えば、特許文献１には、地図が表示された文字板と、複数の指針とを備え、現在地のタイムゾーンと現地時刻とを表示する腕時計が開示されている。また、非特許文献１には、文字板の外周部に、協定世界時（ＵＴＣ：Coordinated Universal Time）との時差で表されたタイムゾーン表示を備え、現在地のタイムゾーンと現地時刻とを表示する腕時計が開示されている。これらの腕時計は、ＧＰＳ（Global Positioning System：全地球測位システム）などの航法衛星から衛星信号を受信する受信部を備え、４個の航法衛星からの信号を受信して現在地の位置情報と時刻情報とを求めて、タイムゾーンと時刻とを自動修正している。
【先行技術文献】
【特許文献】
【０００３】
【特許文献１】特開２００９−１７５０４４号公報
【非特許文献】
【０００４】
【非特許文献１】「グッズプレス  ＪＵＬＹ  ２０１３」株式会社徳間書店、平成２５年７月１０日、７５−８１頁
【発明の概要】
【発明が解決しようとする課題】
【０００５】
衛星信号を利用した電子時計は多くの機能を有しており、多くの機能を腕時計型の電子時計に表示させる必要がある。非特許文献に記載の電子時計では、文字板に設けられた小時計を用いて多くの機能を表示させている。さらにクロノグラフなどの機能を追加させた電子時計においては、視認性のよい複数の小時計を設ける必要がある。しかしながら、文字板に単に複数の小時計を設けると表示スペースの制限により、ブランドロゴを表示するスペースや文字板のデザインの自由度が失われ、デザインの美観が毀損される恐れがあった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子時計は、文字板と、前記文字板に設けられた複数の小時計と、を備え、少なくとも一つの前記小時計の中心と前記文字板の中心とを結ぶ直線と、前記文字板の１２時位置と前記文字板の中心とを結ぶ基準線と、でなす中心角は、６１度以上７０度以下であることを特徴とする。
【０００８】
本適用例によれば、電子時計は、複数の小時計が設けられた文字板を備えている。一般的に、腕時計型の電子時計では、文字板の中心から１２時方向に、ブランドロゴなどのデザインが施されるため、小時計は、１２時方向を避けて設けられる。例えば、文字板に円形や扇形などの三つの小時計を、１２時方向を避けて均等に設けた場合、一つの小時計の中心は、文字板の１２時位置と文字板の中心とを結ぶ基準線と、小時計の中心と文字板の中心とを結ぶ直線と、でなす中心角が６０度となる位置に設けられる。しかし、この配置では、小時計の視認性を考慮して小時計の外形を最大化させると、１２時方向にブランドロゴなどのデザインを施すためのスペースを確保することができない。そこで、本適用例では、小時計の中心は、中心角が６１度以上７０度以下となる位置に設けられている。これにより、文字板は、文字板の１２時方向にブランドロゴなどのデザインを施すスペースを確保して、視認性のよい大きさを有した複数の小時計を備えることができる。したがって、ブランドロゴを表示するスペースと視認性のよい複数の小時計とを備え、デザインの美観を向上させた電子時計を提供することができる。
【０００９】
［適用例２］上記適用例に記載の電子時計において、前記複数の小時計は、第１小時計および第２小時計を含み、前記第１小時計の中心と前記文字板の中心とを結ぶ第１直線と、前記基準線と、でなす第１の角は、６１度以上７０度以下であり、前記第２小時計の中心と前記文字板の中心とを結ぶ第２直線と、前記基準線と、でなす第２の角は、６１度以上７０度以下であることが好ましい。
【００１０】
本適用例によれば、電子時計は、第１小時計と第２小時計とを含む複数の小時計が設けられた文字板を備えている。一般的に、腕時計型の電子時計では、文字板の中心から１２時方向に、ブランドロゴなどのデザインが施されるため、小時計は、１２時方向を避けて設けられる。
文字板の１２時位置と文字板の中心とを結ぶ直線を基準線、第１小時計の中心と文字板の中心とを結ぶ直線を第１直線として、例えば、文字板に円形や扇形などの三つの小時計を、１２時方向を避けて均等に設けた場合、第１直線と基準線とでなす第１の角は６０度となる。同様に、第２小時計の中心と文字板の中心とを結ぶ直線を第２直線とすると、第２直線と基準線とでなす第２の角は６０度となる。
しかし、この角度では、小時計の視認性を考慮して小時計の外形を最大化させると、１２時方向にデザインを施すためのスペースを確保することができない。そこで、本適用例では、第１の角および第２の角が、６１度以上７０度以下になっている。これにより、文字板は、文字板の１２時方向にブランドロゴなどのデザインを施すスペースを確保して、視認性のよい大きさを有した複数の小時計を備えることができる。したがって、ブランドロゴを表示するスペースと視認性のよい複数の小時計とを備え、デザインの美観を向上させた電子時計を提供することができる。
【００１１】
［適用例３］上記適用例に記載の電子時計において、前記第１の角と前記第２の角とは、６６度であることが好ましい。
【００１２】
本適用例によれば、電子時計は、第１小時計と第２小時計とを含む複数の小時計が設けられた文字板を備えている。一般的に、腕時計型の電子時計では、文字板の中心から１２時方向に、ブランドロゴなどのデザインが施されるため、小時計は、１２時方向を避けて設けられる。
文字板の１２時位置と文字板の中心とを結ぶ直線を基準線、第１小時計の中心と文字板の中心とを結ぶ直線を第１直線として、例えば、文字板に円形や扇形などの三つの小時計を、１２時方向を避けて均等に設けた場合、第１直線と基準線とでなす第１の角は６０度となる。同様に、第２小時計の中心と文字板の中心とを結ぶ直線を第２直線とすると、第２直線と基準線とでなす第２の角は６０度となる。
しかし、この角度では、小時計の視認性を考慮して小時計の外形を最大化させると、１２時方向にデザインを施すためのスペースを確保することができない。そこで、本適用例では、第１の角および第２の角が、６６度になっている。これにより、文字板は、文字板の１２時方向にブランドロゴなどのデザインを施すための十分なスペースと、視認性を考慮した大きさの複数の小時計と、を備えることができる。したがって、ブランドロゴを表示するスペースと視認性のよい複数の小時計とを備え、デザインの美観を向上させた電子時計を提供することができる。
【００１３】
［適用例４］上記適用例に記載の電子時計において、前記第１小時計と前記第２小時計とは、前記基準線に対して線対称の位置に配置されていることが好ましい。
【００１４】
本適用例によれば、電子時計の文字板には、第１小時計と第２小時計とが、文字板の中心と文字板の１２時位置とを結ぶ基準線に対して、線対称の位置に配置されている。これにより、文字板は、１２時方向に、ブランドロゴなどのデザインを施すスペースを確保させて、対称性の良いデザインを構成することができる。したがって、ブランドロゴを表示するスペースと複数の小時計とを備え、デザインの美観を向上させた電子時計を提供することができる。
【００１５】
［適用例５］上記適用例に記載の電子時計において、前記複数の小時計は三つであることが好ましい。
【００１６】
本適用例によれば、電子時計は、三つの小時計が設けられた文字板を備えている。これにより、文字板は、文字板の１２時方向にブランドロゴなどのデザインを施すための十分なスペースと、視認性を考慮した大きさの複数の小時計と、を両立させて、備えることができる。また、三つの小時計は、文字板の１２時方向にデザインを施すためのスペースを確保させて、文字板に対称性の良いデザインを構成させることができる。したがって、三つの小時計を備え、デザインの美観を向上させた電子時計を提供することができる。
【００１７】
［適用例６］上記適用例に記載の電子時計において、前記小時計は円形であることが好ましい。
【００１８】
本適用例によれば、電子時計は、複数の円形の小時計が設けられた文字板を備えている。円形の小時計は、文字板の１２時方向にブランドロゴなどのデザインを施すスペースを効率よく確保させて、文字板に円形で統一されたデザインを構成させることができる。したがって、ブランドロゴを表示するスペースと複数の円形の小時計とを備え、デザインの美観を向上させた電子時計を提供することができる。
【００１９】
［適用例７］上記適用例に記載の電子時計において、前記複数の小時計のうち、少なくとも一つの前記小時計は、外径が異なっていることが好ましい。
【００２０】
本適用例によれば、電子時計は、複数の円形の小時計が設けられた文字板を備えている。複数の円形の小時計のうち、少なくとも一つの小時計は、外径が異なっている。少なくとも一つの小時計の外径を異ならせることにより、文字板のデザインの自由度および美観を向上させることができる。したがって、複数の円形の小時計を備え、デザインの美観を向上させた電子時計を提供することができる。
【００２１】
［適用例８］本適用例に係る電子時計は、文字板と、前記文字板に設けられた第１小時計および第２小時計を含む複数の小時計と、を備え、前記第１小時計の中心と前記文字板の中心とを結ぶ第１直線と、前記第２小時計の中心と前記文字板の中心とを結ぶ第２直線と、でなす中心角は、１２２度以上１４０度以下であることを特徴とする。
【００２２】
本適用例によれば、電子時計は、第１小時計と第２小時計とを含む複数の小時計が設けられた文字板を備えている。一般的に、腕時計型の電子時計は、ブランドロゴなどのデザインを施すためのスペースを要する。例えば、文字板に円形や扇形などの第１小時計と第２小時計とを含む三つの小時計を均等に設けた場合、第１小時計の中心と文字板の中心とを結ぶ直線と、第２小時計の中心と文字板の中心とを結ぶ直線と、でなす中心角は１２０度となる。しかし、この配置では、小時計の視認性を考慮して小時計の外形を最大化させると、１２時方向にデザインを施すためのスペースを確保することができない。そこで、本適用例では、第１小時計の中心と文字板の中心とを結ぶ直線と、第２小時計の中心と文字板の中心とを結ぶ直線と、でなす中心角は１２２度以上１４０度以下になっている。これにより、文字板は、ブランドロゴなどのデザインを施すスペースを確保して、視認性のよい大きさを有した複数の小時計を備えることができる。したがって、ブランドロゴを表示するスペースと視認性のよい複数の小時計とを備え、デザインの美観を向上させた電子時計を提供することができる。
【００２３】
［適用例９］上記適用例に記載の電子時計において、前記中心角は、１３２度であることが好ましい。
【００２４】
本適用例によれば、電子時計は、電子時計は、第１小時計と第２小時計とを含む複数の小時計が設けられた文字板を備えている。一般的に、腕時計型の電子時計は、ブランドロゴなどのデザインを施すためのスペースを要する。例えば、円形や扇形などの文字板に第１小時計と第２小時計とを含む三つの小時計を均等に設けた場合、第１小時計の中心と文字板の中心とを結ぶ直線と、第２小時計の中心と文字板の中心とを結ぶ直線と、でなす中心角は１２０度となる。しかし、この配置では、小時計の視認性を考慮して小時計の外形を最大化させると、１２時方向にデザインを施すためスペースを確保することができない。そこで、本適用例では、第１小時計の中心と文字板の中心とを結ぶ直線と、第２小時計の中心と文字板の中心とを結ぶ直線と、でなす中心角は１３２度になっている。これにより、文字板は、ブランドロゴなどのデザインを施すための十分なスペースと、視認性のよい大きさの複数の小時計と、を備えることができる。したがって、ブランドロゴを表示するスペースと視認性のよい複数の小時計とを備え、デザインの美観を向上させた電子時計を提供することができる。
【００２５】
［適用例１０］上記適用例に記載の電子時計において、前記第１小時計と前記第２小時計とは、前記文字板の１２時位置と６時位置とを結ぶ直線に対して線対称の位置に配置されていることが好ましい。
【００２６】
本適用例によれば、電子時計の文字板には、第１小時計と第２小時計とが、文字板の中心と文字板の１２時位置とを結ぶ直線に対して、線対称の位置に配置されている。これにより、文字板は、１２時方向（または６時方向）に、ブランドロゴなどのデザイン施すスペースを確保させて、対称性の良いデザインを構成することができる。したがって、ブランドロゴを表示するスペースと複数の小時計とを備え、デザインの美観を向上させた電子時計を提供することができる。
【００２７】
［適用例１１］上記適用例に記載の電子時計において、前記複数の小時計は、三つであることが好ましい。
【００２８】
本適用例によれば、電子時計は、三つの小時計が設けられた文字板を備えている。文字板に備える小時計を三つに限定することにより、文字板は、ブランドロゴなどのデザインを施すための十分なスペースと、視認性を考慮した大きさの三つの小時計と、を両立させて、備えることができる。また、三つの小時計は、文字板にデザインを施すためのスペースを確保させて、対称性の良いデザインを構成させることができる。したがって、ブランドロゴを表示するスペースと三つの小時計とを備え、デザインの美観を向上させた電子時計を提供することができる。
【００２９】
［適用例１２］上記適用例に記載の電子時計において、前記小時計は、円形であることが好ましい。
【００３０】
本適用例によれば、電子時計は、複数の円形の小時計が設けられた文字板を備えている。円形の小時計は、ブランドロゴなどのデザインを施すスペースを文字板の外周方向に効率よく確保させて、文字板に円形で統一されたデザインを構成させることができる。したがって、ブランドロゴを表示するスペースと複数の円形の小時計とを備え、デザインの美観を向上させた電子時計を提供することができる。
【００３１】
［適用例１３］上記適用例に記載の電子時計において、少なくとも一つの前記小時計は、外径が異なっていることが好ましい。
【００３２】
本適用例によれば、電子時計は、複数の円形の小時計が設けられた文字板を備えている。複数の円形の小時計のうち、少なくとも一つの小時計は、外径が異なっている。少なくとも一つの小時計の外径を異ならせることにより、文字板のデザインの自由度および美観を向上させることができる。したがって、複数の円形の小時計を備え、デザインの美観を向上させた電子時計を提供することができる。
【００３３】
［適用例１４］本適用例に係る電子時計は、文字板と、前記文字板に設けられた第１小時計と、第２小時計と、第３小時計と、を備え、前記第１小時計および前記第２小時計の少なくとも一方は、前記文字板の３時位置と９時位置とを結ぶ直線に重なる位置に設けられ、前記第３小時計は、前記文字板の中心と６時位置とを結ぶ直線に重なる位置に設けられ、前記第１小時計、前記第２小時計および前記第３小時計の少なくとも一つは、外径が異なっていることを特徴とする。
【００３４】
本適用例によれば、電子時計は、第１小時計、第２小時計および第３小時計が設けられた文字板を備えている。一般的に、腕時計型の電子時計は、文字板の中心から１２時方向に、ブランドロゴなどのデザインを施すスペースを確保する必要がある。例えば、文字板に円形や扇形などの３つの小時計を、１２時方向を避けて均等に設けた場合、三つの小時計は、文字板の中心と２時位置とを結ぶ直線上と、文字板の中心と６時位置とを結ぶ直線上と、文字板の中心と１０時位置とを結ぶ直線上と、に設けられる。しかし、この配置では、小時計の視認性を考慮して小時計の外形を最大化させると、１２時方向にデザインを施すためのスペースを確保することができない。そこで、本適用例では、第３小時計は、文字板の中心と６時位置とを結ぶ直線に重なる位置に設けられ、第１小時計および第２小時計の少なくとも一方の小時計が、文字板の３時位置と９時位置とを結ぶ直線に重なる位置に設けられている。これにより、文字板は、文字板の１２時方向にブランドロゴなどのデザインを施すスペースを確保して、視認性のよい大きさを有した複数の小時計を備えることができる。また、第１小時計、第２小時計および第３小時計のうち、少なくとも一つの小時計は、外径が異なっている。少なくとも一つの小時計の外径を異ならせることにより、文字板のデザインの自由度および美観を向上させることができる。したがって、ブランドロゴを表示するスペースと視認性のよい三つの円形の小時計とを備え、デザインの美観を向上させた電子時計を提供することができる。
【００３５】
［適用例１５］上記適用例に記載の電子時計において、前記第１小時計、前記第２小時計および前記第３小時計は、円形であることが好ましい。
【００３６】
本適用例によれば、電子時計は、円形の第１小時計、第２小時計および第３小時計が設けられた文字板を備えている。円形の小時計は、ブランドロゴなどのデザインを施すスペースを文字板の外周方向に効率よく確保させて、文字板に円形で統一されたデザインを構成させることができる。したがって、ブランドロゴを表示するスペースと三つの円形の小時計とを備え、デザインの美観を向上させた電子時計を提供することができる。
【００３７】
［適用例１６］上記適用例に記載の電子時計において、前記第３小時計の外径は、前記第１小時計および前記第２小時計の外径より大きいことが好ましい。
【００３８】
本適用例によれば、電子時計は、円形の第１小時計、第２小時計および第３小時計が設けられた文字板を備えている。例えば、文字板の２時方向と、６時方向と、１０時方向とに三つの同一外径の小時計を配置した場合、６時位置に配置された小時計は、人間の視覚の錯覚により他の小時計より小さい小時計と認識されてしまう。そこで、本適用例では、文字板の中心と６時位置とを結ぶ直線に重なる位置（６時方向）には、第１小時計、第２小時計より大きい外径を有する第３小時計が配置されている。外径の大きい第３小時計は、文字板に視覚の補正されたバランスのよいデザインを構成させることができる。したがって、三つの円形の小時計を備え、デザインの美観を向上させた電子時計を提供することができる。
【００３９】
［適用例１７］上記適用例に記載の電子時計において、前記第１小時計、前記第２小時計および前記第３小時計は、機能情報を表示し、前記第３小時計は、前記第１小時計および前記第２小時計より多い機能情報を表示することが好ましい。
【００４０】
本適用例によれば、電子時計は、第１小時計、第２小時計および第３小時計が設けられた文字板を備えている。第１小時計、第２小時計および第３小時計は、電子時計に備えられている機能の機能情報を表示する。６時方向に備えられている第３小時計は、第１小時計、第２小時計より視点が近く視認性が良いため、第１小時計、第２小時計より多くの機能情報を表示させることができる。これにより、文字板は、視認性のよい多くの機能情報を表示させる三つの小時計を備えることができる。また、小時計に複数の機能情報の表示を集約することで、電子時計は、シンプルなデザインで構成された文字板を備えることができる。したがって、多くの機能情報を表示する三つの小時計を備え、デザインの美観を向上させた電子時計を提供することができる。
【図面の簡単な説明】
【００４１】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の文字板とダイヤルリングを示す概略平面図。
【図６】電子時計の外観を示す概略平面図。
【図７】電子時計の電気制御ブロック図。
【図８】変形例に係る電子時計の文字板とダイヤルリングを示す概略平面図。
【発明を実施するための形態】
【００４２】
以下、本発明の実施形態について、図面を参照して説明する。なお、以下の各図においては、各層や各部材を認識可能な程度の大きさにするため、各層や各部材の尺度を実際とは異ならせている。
【００４３】
（実施形態）
本実施形態の電子時計は、ワールドタイム機能と、クロノグラフ機能と、を備えている。ワールドタイム機能とは、例えば、ＧＰＳなどの航法衛星（ＧＰＳ衛星）から送信されている衛星信号を受信して現在地の位置情報と時刻情報とを算出して現地時刻を表示するものである。クロノグラフ機能とは、時間を積算表示する所謂ストップウォッチ（ストップウオッチ）機能を備えているものである。
図１は、実施形態に係る電子時計を含むＧＰＳの全体図である。まず、電子時計１０が、ＧＰＳ衛星８から送信される衛星信号を用いて、現在地の位置情報と、時刻情報とを求めるＧＰＳの概要を説明する。
【００４４】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００４５】
現在、地球の上空には約３１個のＧＰＳ衛星８（図１においては、４個のみを図示）が周回しており、衛星信号がどのＧＰＳ衛星８から送信されたかを識別するために、各ＧＰＳ衛星８はＣ／Ａコード（Coarse／Acquisition Code）と呼ばれる１０２３チップ（１ｍｓ周期）の固有のパターンを衛星信号に重畳する。Ｃ／Ａコードは、各チップが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００４６】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００４７】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００４８】
次に、電子時計１０の概略構成について説明する。
以下の説明において、「ｎ時方向」、「ｎ時位置」（ｎは任意の自然数）とあるが、これはダイヤルリング４０に表示されている「ＵＴＣ」を１２時として外周を１２時間で表した時に、文字板１１の中央から外周をみた方向または位置である。
図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である。図３（ｅ）は６時方向から１２時方向を見た側面図である。図３（ｆ）は裏面側からみた平面図である。また、本実施形態の電子時計は、ワールドタイム機能とクロノグラフ機能を備えている。
【００４９】
図２および図３に示すように、電子時計１０は、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が設けられ、文字板１１には指針２１，２２，２３が備えられている。ダイヤルリング４０には、円周を１２分割にする棒状のバーインデックス４３が、ダイヤルリング４０の傾斜部分から文字板１１の中心に向かって突出した状態で設けられている。
【００５０】
文字板１１には、指針７１を備えた第１小時計７０と、指針８１を備えた第２小時計８０と、指針９１を備えた第３小時計９０およびカレンダー表示１５が設けられている。
第１小時計７０は文字板１１の中心より２時方向かつ３時位置と９時位置とを結ぶ直線に重なる位置に設けられている。第２小時計８０は文字板１１の中心より１０時方向かつ３時位置と９時位置とを結ぶ直線に重なる位置に設けられている。第３小時計９０は文字板１１の中心より６時方向かつ文字板の中心と６時位置とを結ぶ直線に重なる位置に設けられている。に設けられている。カレンダー表示１５は文字板１１の中心より４時方向に設けられている。
文字板１１、指針２１，２２，２３、第１小時計７０、第２小時計８０、第３小時計９０およびカレンダー表示１５などは、カバーガラス３３を透して、視認可能となっている。
【００５１】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４およびリュウズ５０が操作されることにより、操作に応じた入力信号が出力される。
【００５２】
図４に示すように、電子時計１０は、金属製の外装ケース３０の表裏に設けられた二つの開口のうち、文字板１１が装着された表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視で文字板１１の中心を通り、表裏方向に延在する中心軸に沿って設けられている。
【００５３】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００５４】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００５５】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００５６】
文字板１１と、駆動機構１４０などが取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も備えている。文字板１１、ソーラーパネル１３５および地板１２５には、指針軸２５と、第１小時計７０の指針７１、第２小時計８０の指針８１および第３小時計９０の指針９１の指針軸（図示せず）とが貫通する穴が形成されているとともに、カレンダー表示１５の開口部が形成されている。
【００５７】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小時計７０の指針７１、第２小時計８０の指針８１および第３小時計９０の指針９１も同様の駆動機構（図示せず）を有し、各指針７１，８１，９１が駆動する。
【００５８】
回路基板１２０は、バラン１２１、受信部（ＧＰＳモジュール）１２２、制御部１５０およびリチウムイオン電池などの二次電池１３０を備えている。二次電池１３０は、ソーラーパネル１３５が発電した電力で充電され、その電力を蓄積する。これにより、電子時計１０を連続して駆動させることができる。また、この回路基板１２０とアンテナ体１１０とは、アンテナ接続ピン１１５を用い接続されている。バラン１２１は、平衡−不平衡の変換素子であり、平衡給電で作動するアンテナ体１１０からの平衡信号を、受信部１２２で扱うことができる不平衡信号に変換する。
【００５９】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されている。そして、アンテナ接続ピン１１５は地板１２５に開口された挿通孔を貫通されて収納空間内へ挿通されている。これにより、回路基板１２０と、収納空間内部のアンテナ体１１０とが、アンテナ接続ピン１１５で接続されている。
【００６０】
なお、本実施形態では、電子時計１０はソーラーパネル１３５による発電と二次電池１３０とを駆動源とするものと説明したが、一次電池方式や、他の充電方式を用いてもよい。一次電池方式を駆動源とすることで外装ケース３０内の機構を簡単にすることが可能となる。また、電磁誘導などの充電方式で蓄電する二次電池を駆動源とすることで光発電を行うには十分な光照射がない場所や電池交換が難しい場所においても、本発明の電子時計を利用することができる。
【００６１】
次に、円形の第１小時計７０、第２小時計８０、第３小時計９０が文字板１１に配置される位置について詳細に説明する。図５は、電子時計の文字板とダイヤルリングを示す概略平面図である。なお、指針２１，２２，２３，７１，８１，９１の図示は省略する。
【００６２】
基準線ＣＬは、文字板１１の１２時位置と文字板１１の中心１１ａとを結ぶ直線であり、第１直線Ｌ１は、第１小時計７０の中心７０ａと文字板１１の中心１１ａとを結ぶ直線であり、第２直線Ｌ２は、第２小時計８０の中心８０ａと文字板１１の中心１１ａとを結ぶ直線である。基準線ＣＬと第１直線Ｌ１とでなす第１の角をθ１とし、基準線ＣＬと第２直線Ｌ２とでなす第２の角をθ２とした場合、第１の角θ１および第２の角θ２は、６６度になっている。
【００６３】
換言すると、第１小時計７０の中心７０ａは文字板の中心１１ａを右回りに基準線ＣＬから６６度に位置する第１直線Ｌ１上に設けられ、第２小時計８０の中心８０ａは文字板の中心１１ａを左回りに基準線ＣＬから６６度に位置する第２直線Ｌ２上に設けられ、第１小時計７０と第２小時計８０とは、基準線ＣＬに対して線対称の位置に配置されている。そして、第１小時計７０および第２小時計８０は、文字板１１の３時位置と９時位置とを結ぶ直線に重なる位置に設けられている。なお、第３小時計９０は、文字板１１の中心１１ａと６時位置とを結ぶ直線に重なる位置に設けられている。
【００６４】
一般的に、腕時計型の電子時計１０では、文字板１１の中心１１ａから１２時方向に、ブランドロゴなどのデザインが施される。例えば、文字板１１に三つの小時計を、１２時方向を避けて均等に設けた場合、第１直線Ｌ１と基準線ＣＬとでなす第１の角θ１は６０度となる。同様に、第２直線Ｌ２と基準線ＣＬとでなす第２の角θ２は６０度となる。しかし、この角度では、第１直線Ｌ１上に配置された第１小時計７０および第２直線Ｌ２上に配置された第２小時計８０の視認性を考慮して第１小時計７０および第２小時計８０の外形を最大化させると、１２時方向にデザインを施すためのスペースを確保することができない。
【００６５】
そこで、本実施形態の電子時計１０は、第１の角θ１および第２の角θ２が、６６度になっている。これにより、第１小時計７０および第２小時計８０の外形や３時位置のバーインデックス４３ａおよび９時位置のバーインデックス４３ｂの長さを縮小させることなく、文字板１１の１２時方向にブランドロゴなどのデザインを施すためのスペースを確保することができる。また、第１小時計７０および第２小時計８０の形状を円形とすることで、隣り合う第１小時計７０および第２小時計８０の円弧に沿って、文字板１１の外周方向に、デザインを施すためのスペースを効率的に確保することができる。円形の各小時計（第１小時計７０、第２小時計８０、第３小時計９０）は、円形の文字板１１と共に、円形で統一されたデザインを構成させることができる。
【００６６】
なお、第１の角θ１および第２の角θ２は、６６度であるものと説明したが、第１の角θ１および第２の角θ２が、６１度以上７０度以下の範囲であれば同様の効果を得ることができる。例えば、第１の角θ１および第２の角θ２が、６０度以下に設定された場合には、１２時方向にデザインを施すためのスペースを確保することができない。また、第１の角θ１および第２の角θ２が、７１度以上に設定された場合には、第１小時計７０および第２小時計８０が、第３小時計９０と干渉するため、外形を小さくしなければならない。したがって、電子時計１０は、第１の角θ１および第２の角θ２を６１度以上７０度以下の範囲にすることで、文字板１１の１２時方向にブランドロゴなどのデザインを施すためのスペースを確保することができる。
【００６７】
また、第１の角θ１および第２の角θ２の少なくとも一方が、６１度以上７０度以下であってもよい。例えば、第１の角θ１が６０度であっても、第２の角θ２が６１度以上７０度以下であれば、文字板１１の１２時方向にブランドロゴなどのデザインを施すためのスペースを確保することができる。
【００６８】
また、本実施形態では、文字板１１に、三つの小時計（第１小時計７０、第２小時計８０、第３小時計９０）を配置した構成を示したが、この構成に限定するものではない。文字板１１が第１小時計７０、第２小時計８０を含む三つ以上の複数の小時計を備えている場合でも、第１の角θ１および第２の角θ２が６１度以上７０度以下であり、文字板１１の第１直線Ｌ１と第２直線Ｌ２とに挟まれた領域外に、第１小時計７０および第２小時計８０を除いた他の小時計を配置することで、同様の効果を得ることができる。
【００６９】
また、本実施形態では、第１小時計７０、第２小時計８０および第３小時計９０の形状は円形であるものと説明したが、他の形状を有した小時計であってもよい。例えば、扇形や楕円の形状を有する小時計であっても同様の効果を得ることができる。
【００７０】
次に、第１小時計７０、第２小時計８０および第３小時計９０の外形寸法について説明する。
本実施形態では、第１小時計７０、第２小時計８０および第３小時計９０の少なくとも一つの小時計の外形が異なっている。具体的には、第３小時計９０の外径Ｄ２は、第１小時計７０および第２小時計８０の外径Ｄ１と異なっている。外径Ｄ１は、第１小時計７０および第２小時計８０の直径を表し、外径Ｄ２は、第３小時計９０の直径を表す。外径Ｄ１と外径Ｄ２とは、Ｄ２＞Ｄ１の関係である。さらに具体的には、第３小時計９０は、外径Ｄ１よりも０．４ｍｍ大きい外径Ｄ２を有している。
【００７１】
例えば、第１小時計７０および第２小時計８０の外径Ｄ１と、第３小時計９０の外径Ｄ２とを等しくした場合、第３小時計９０は、人間の視覚の錯覚により第１小時計７０および第２小時計８０より外径寸法の小さい小時計と認識されてしまう。本実施形態の文字板１１には、第１小時計７０および第２小時計８０の外径Ｄ１より０．４ｍｍ大きい外径Ｄ２を有する第３小時計９０が配置されている。これにより、文字板１１には、人間の視覚による錯覚が補正されたバランスのよいデザインを構成させることができる。また、錯覚補正とは別に、第１小時計７０、第２小時計８０、第３小時計９０の少なくとも１つの外径を異ならせることで、文字板１１のデザインの自由度と美観とを向上させることもできる。
【００７２】
次に、電子時計１０の機能情報の表示について説明する。図６は、電子時計の外観を示す概略平面図である。
ます、本実施形態の電子時計１０が備えている機能情報について列記する。
電子時計１０は、時刻情報、積算時間情報、タイムソーン情報、捕捉している衛星数の衛星捕捉数情報、衛星信号の受信結果情報、サマータイム情報、２次電池の充電量情報、衛星信号の受信禁止設定情報、衛星信号の受信モード情報、カレンダー情報などの機能情報を有している。
【００７３】
本実施形態の電子時計１０は、文字板１１に、ワールドタイム機能で求められた現地時刻（内部時刻）の時刻情報が示される時刻表示と、クロノグラフ機能で積算された積算時間情報が示される積算表示とを備えている。
時刻表示とは、「時」を表す時刻時表示と、「分」を表す時刻分表示と、「秒」を表す時刻秒表示との総称である。
積算表示とは、「時」を表す積算時表示と、「分」を表す積算分表示と、「秒」を表す積算秒表示との総称である。
【００７４】
まず、文字板１１の機能情報の表示について説明する。文字板１１は、時刻情報が示される時刻表示（時刻時表示４３、時刻分表示２４）および積算情報が示される積算表示（積算秒表示）を備えている。
図６に示すように、文字板１１は、外周を６０分割にする目盛が表記された時刻分表示２４、および外周を１２分割にする目盛が設けられた時刻時表示（バーインデックス）４３を備えている。指針２２は、時刻分表示２４を用いてワールドタイム機能で求められた現地時刻（内部時刻）の「分」を指し示す。また、指針２３は、時刻時表示４３を用いてワールドタイム機能で求められた現地時刻（内部時刻）の「時」を指し示す。
文字板１１の最外周は、時刻分表示２４の目盛をさらに５分割にする１／５目盛が表記された積算秒表示を備えている。指針２１は、積算秒表示を用いてクロノグラフ機能で積算された時間の「秒」を指し示す。
【００７５】
次に、第１小時計７０の機能情報の表示について説明する。第１小時計７０は、積算時間情報が示される積算表示（積算分表示７２）を備えている。第１小時計７０には、第１小時計７０の外周を６０分割にする目盛と、１０から６０までの１０刻みの数字とが表記され、指針７１は、積算分表示７２を用いてクロノグラフ機能で積算された時間の「分」を指し示す。
【００７６】
次に、第２小時計８０の機能情報の表示について説明する。第２小時計８０は、衛星捕捉数情報が示される衛星捕捉数表示８２、受信結果情報が示される受信結果表示８３、現地時刻（内部時計）の秒が示される時刻秒表示８４を備えている。
【００７７】
衛星捕捉数表示８２は、第２小時計８０の外周に設けられている。衛星捕捉数表示８２には、外周を１２分割にする目盛と、「０」から「１１」までの数字とが表記されている。使用者がＢボタン６２を操作することにより、指針８１は、ＧＰＳ衛星８の捕捉数を表す衛星捕捉数を「０」から「１１」までのいずれかの数字で指し示す。これにより、衛星捕捉数が表示される。
【００７８】
時刻秒表示８４は、第２小時計８０の外周に設けられている。時刻秒表示８４には、外周を６０分割にする目盛が表記されている。指針８１は、時刻秒表示８４を用いて現地時刻（内部時刻）の「秒」を指し示す。
【００７９】
受信結果表示８３は、第２小時計８０の内周に設けられている。受信結果表示８３には、時刻秒表示８４において、４５秒から６０秒までの範囲に英字の「Ｙ」表記８３ａと、３０秒から４５秒までの範囲に英字の「Ｎ」表記８３ｂとが表記されている。「Ｙ」表記８３ａと、「Ｎ」表記８３ｂとは、１５秒と４５秒とを結ぶ直線に対して線対称、かつ第２小時計８０の外周を１２分割にする目盛（長い目盛）と重ならない位置に設けられている。これにより、第２小時計８０の外周を１２分割にする目盛と、６０分割する目盛と、受信結果表示８３とを面積の狭い第２小時計８０の中に、判読性を確保しながらバランスよくレイアウトすることができる。「Ｙ」表記８３ａと、「Ｎ」表記８３ｂとの英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。
【００８０】
使用者がＢボタン６２を操作することにより、指針８１が「Ｙ」表記８３ａまたは「Ｎ」表記８３ｂのいずれか一方を指し示し、衛星信号の受信結果を表示する。また、使用者がＡボタン６１とＢボタン６２とを操作して、指針８１を「Ｙ」表記８３ａまたは「Ｎ」表記８３ｂに合わせることで、衛星信号の自動受信のＯＮ／ＯＦＦを設定することができる。
なお、本実施形態では、５２秒の位置に「Ｙ」表記８３ａが、３８秒の位置に「Ｎ」表記８３ｂが、設けられているが、これに限定されるものではない。「Ｙ」表記８３ａと「Ｎ」表記８３ｂとの表記は、受信結果表示８３を含む小時計が設けられる位置に応じて、視認しやすい位置に設けることが好ましい。
【００８１】
次に、第３小時計９０の機能情報の表示について説明する。第３小時計９０の外周には、積算時間情報が示される積算表示（積算時表示９２）と、サマータイム情報が示されるサマータイム表示９３と、充電量情報が示される充電量表示９４と、受信禁止情報が示される受信禁止表示９５と、受信モード情報が示される受信モード表示９６と、が組み合わされて表示されるように設けられている。
以下の外周の範囲の説明において、「ｎ時方向」（ｎは任意の自然数）とあるが、これは第３小時計９０に表示されている「０」を１２時として外周を１２時間で表した時に、円形の中央から外周をみた方向である。また、「ｎ時方向からｍ時方向までの範囲」（ｎ、ｍは任意の自然数）とあるが、これは第３小時計９０の中心を右回りで表した範囲である。
【００８２】
積算時表示９２は、第３小時計９０の外周において、１２時方向から６時方向までの範囲に設けられている。積算時表示９２には、この範囲を６分割にする目盛と、「０」から「５」までの数字とが表記されている。指針９１は、積算時表示９２を用いて、クロノグラフ機能で積算された時間の「時」を指し示す。
【００８３】
サマータイム表示９３は、第３小時計９０の外周において、６時方向から７時方向までの範囲に設けられている。サマータイム表示９３には、「ＤＳＴ」の英字と「○」の記号とが表記されている。ＤＳＴ（daylight saving time）は夏時間を意味しており、これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００８４】
充電量表示９４は、第３小時計９０の外周において、７時方向から９時方向までの範囲に設けられている。充電量表示９４には、外周の円周に沿って、９時方向の基端が太く、７時方向の先端が細い三日月鎌状の記号で、二次電池１３０（図４参照）のパワーインジケーターが表記されている。指針９１は、電池の残量に応じて、基端、中間、先端のいずれかを指し示す。
また、充電量表示９４は、受信許可表示を兼用している。使用者はＡボタン６１を操作し、指針９１が示す先を、後述する受信禁止表示９５から充電量表示９４に移動させることで、電子時計１０に衛星信号を受信させることができる。なお、本実施形態では、受信許可表示は充電量表示９４と兼用されるものとして説明したが、受信許可表示と充電量表示９４とが各々に設けられていてもよい。
【００８５】
受信禁止表示９５は、第３小時計９０の外周において、９時方向から１０時方向までの範囲に設けられている。受信禁止表示９５には、飛行機形状の記号が表記されており、衛星信号の受信禁止設定を表す。航空機の離着陸時は、航空法によって衛星信号の受信が禁止されていることより、この設定を機内モードとも呼ぶ。使用者はＡボタン６１を操作し、指針９１が示す先を移動させて受信禁止表示９５（機内モード）を選択することで、電子時計１０に衛星信号の受信を停止させることができる。
【００８６】
受信モード表示９６は、第３小時計９０の外周において、１０時方向から１２時方向までの範囲に設けられている。受信モード表示９６には、「１」および「４＋」の数字と、記号とが表記されており、これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１は、「１」または「４＋」のいずれかを指し示し、電子時計１０が直前に受信した衛星信号の受信モードを表す。
【００８７】
上述したように、第３小時計９０は、第１小時計７０および第２小時計８０より多い機能情報の表示を備えている。第３小時計９０は第１小時計７０および第２小時計８０の外径Ｄ１より大きい外径Ｄ２を有し、第１小時計７０、第２小時計８０より視点が近く視認性が良いため、第１小時計７０、第２小時計８０より多くの機能情報の表示を備えることができる。これにより、電子時計１０の文字板１１は、視認性がよく、電子時計１０の備える多くの機能情報を表示させることができる。
【００８８】
なお、Ａボタン６１、Ｂボタン６２、Ｃボタン６３、Ｄボタン６４、リュウズ５０を用いた操作は一例であり、説明と異なる入力装置を使用して操作させてもよい。
【００８９】
次にカレンダー情報が示されるカレンダー表示１５について説明する。
カレンダー表示１５は、文字板１１を矩形状に開口した開口部に設けられており、開口部から数字が視認可能となっている。この数字は、年月日の「日」を表す。
【００９０】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間（時差）のタイムゾーンに属している。各タイムゾーンで使用されている標準時は、ＵＴＣと、ＵＴＣとの時差とで求めることができる。
【００９１】
次に、ダイヤルリング４０とベゼル３２とに設けられているタイムゾーン表示４６について説明する。タイムゾーン表示４６とは、ダイヤルリング４０に表記されている時差表示４５と、ベゼル３２に表記されている都市表示３５と、の総称である。
表面側からの平面視において、ダイヤルリング４０には、時差の基準となる協定世界時を示す「ＵＴＣ」の英字と、タイムゾーンで使用されている標準時とＵＴＣとの時差を表す数値または記号とを表記した時差表示４５が設けられている。
指針２１，２２，２３で指し示された現地時刻と、ＵＴＣとの時差は、リュウズ５０を操作することにより指針２１の指し示す時差表示４５で確認することができる。なお、本実施形態では、世界協定時は「ＵＴＣ」の英字で表記し、標準時とＵＴＣとの時差は整数および「・」の記号で表記しているが、他の英数字、または記号を用いて表現してもよい。
【００９２】
ベゼル３２には、ダイヤルリング４０に表記されている時差に対応したタイムゾーンの代表都市名を表すコードを表記した都市表示３５が設けられている。本実施形態では、代表都市名に三文字の英字で略したスリーレターコードが使用されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」は北京、「ＴＹＯ」は東京、「ＡＤＬ」はアデレード、「ＳＹＤ」はシドニー、「ＮＯＵ」ネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差表示４５の数字「９」より、東京はＵＴＣ＋９時間の標準時を使用していることを容易に判断することができる。
なお、本実施形態では、表示スペースの制約と視認性の向上との為、一部の時差表示４５の時差に対応する代表都市名の表記が省略されている。また、代表都市名の表記方法は一例であり、他の方法で表記してもよい。
【００９３】
指針２１，２２，２３で表示された現地時刻（内部時刻）のタイムゾーンは、リュウズ５０を操作することにより指針２１の指し示すタイムゾーン表示４６で確認することができる。例えば、指針２１がタイムゾーン表示４６の「ＴＹＯ」と「９」とを指し示すことにより、現在、使用者は東京を代表都市とする＋９時間のタイムゾーンに居ることがわかる。
【００９４】
次に、電子時計１０の電気的構成について説明する。
図７は、電子時計の電気制御ブロック図である。図７に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図２および図３に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００９５】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００９６】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信した衛星信号の相関判定を実行して航法メッセージを復調するＢＢ部（ベースバンド部）と、ＢＢ部で復調された航法メッセージからＧＰＳ時刻情報や軌道情報を取得して出力する情報取得部とを備えている。つまり、受信部１２２は、ＧＰＳ衛星８から送信される衛星信号を受信し、受信結果に基づいてＧＰＳ時刻情報と軌道情報とを出力する受信部として機能する。
【００９７】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００９８】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００９９】
情報取得部は、ＢＢ部で復調した航法メッセージからＧＰＳ時刻情報や軌道情報を取得する。航法メッセージには、プリアンブルデータおよびＨＯＷワードのＴＯＷ（Time of Week、「Ｚカウント」ともいう）、サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や軌道情報を取得することができる。
【０１００】
ＲＡＭ１５４とＲＯＭ１５５とは、電子時計１０の記憶部である。
ＲＯＭ１５５には、ＣＰＵ１５３に実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【０１０１】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報と、に基づいて現在地のタイムゾーンをＲＡＭ１５４に設定し、内部時刻を修正する。ＣＰＵ１５３は、内部時刻が示されるように、駆動機構１４０の駆動制御を行う。これにより、電子時計１０には、指針２１，２２，２３（図６参照）で指し示される時刻表示により内部時刻が示される。
【０１０２】
なお、本実施形態では、衛星信号としてＧＰＳ衛星８から送信される電波を用いるものとして説明したが、これに限定するのもではない。例えば、ガリレオ（Galileo）、ＧＬＯＮＡＳＳ（Global Navigation Satellite System）などの全地球航法衛星システム（ＧＮＳＳ：Global Navigation Satellite System）の衛星信号（電波）を使用することができる。
【０１０３】
以上述べたように、本実施形態に係る電子時計１０によれば、以下の効果を得ることができる。
電子時計１０は、第１小時計７０、第２小時計８０、第３小時計９０の複数の円形の小時計が設けられた文字板１１を備えている。第１小時計７０の中心７０ａが配置されている第１直線Ｌ１と基準線ＣＬとでなす第１の角θ１と、第２小時計８０の中心８０ａが配置されている第２直線Ｌ２と基準線ＣＬとでなす第２の角θ２とは、６６度である。そして、第１小時計７０および第２小時計８０は、文字板１１の３時位置と９時位置とを結ぶ直線に重なる位置に設けられる。これにより、文字板１１は、隣り合う円形の第１小時計７０および第２小時計８０の円弧に沿って、文字板１１の１２時の外周方向にブランドロゴなどのデザインを施すスペースを効率的に確保して、視認性のよい大きさを有した三つの小時計（第１小時計７０、第２小時計８０、第３小時計９０）を備えることができる。
文字板１１には、第１小時計７０および第２小時計８０の外径Ｄ１より０．４ｍｍ大きい外径Ｄ２を有する第３小時計９０が配置されているため、人間の視覚による錯覚が補正されたバランスのよいデザインを構成させることができる。また、第３小時計９０は、外径Ｄ３が大きく、視点が近いため、第１小時計７０、第２小時計８０よりも、視認性よく多くの機能情報を表示させることができる。
したがって、ブランドロゴを表示するスペースと視認性のよい複数の円形の小時計（第１小時計７０、第２小時計８０、第３小時計９０）とを備え、デザインの自由度と美観とを向上させた電子時計１０を提供することができる。
【０１０４】
なお、本発明は上述した実施形態に限定されず、上述した実施形態に種々の変更や改良などを加えることが可能である。変形例を以下に述べる。
【０１０５】
（変形例）
図８は、変形例に係る電子時計の文字板とダイヤルリングを示す概略平面図である。
上記実施形態では、第１小時計７０の中心７０ａが配置されている第１直線Ｌ１と基準線ＣＬとでなす第１の角θ１と、第２小時計８０の中心８０ａが配置されている第２直線Ｌ２と基準線ＣＬとでなす第２の角θ２とは、６６度であるものと説明したが、この構成に限定するものではない。
以下、変形例に係る電子時計２００について説明する。なお、実施形態と同一の構成部位については、同一の符号を附し、重複する説明は省略する。
【０１０６】
図８に示すように、電子時計２００の文字板１１には、円形の第１小時計７０、第２小時計８０、第３小時計９０の三つの小時計が設けられている。第１直線Ｌ１と第２直線Ｌ２とでなす中心角をθ３とした場合、電子時計２００は、中心角θ３が１３２度になっている。換言すると、第１小時計７０の中心７０ａは第１直線Ｌ１上に設けられ、第２小時計８０の中心８０ａは第１直線Ｌ１から１３２度に位置する第２直線Ｌ２上に設けられている。これにより、文字板１１は、ブランドロゴなどのデザインを施すための十分なスペースと、視認性のよい大きさの三つの小時計（第１小時計７０、第２小時計８０、第３小時計９０）と、を備えることができる。
また、第１小時計７０と第２小時計８０とは、文字板１１の１２時位置と６時位置とを結ぶ直線対して線対称の位置に配置されている。これにより、文字板１１は、１２時方向（または６時方向）に、ブランドロゴなどのデザインを施すスペースを確保させて、対称性の良いデザインを構成させることができる。
【０１０７】
なお、第１直線Ｌ１と第２直線Ｌ２とでなす中心角θ３は、１３２度であると説明したが、中心角θ３が１２２度以上１４０度以下の範囲であれば同様の効果を得ることができる。例えば、中心角θ３が１２１度以下に設定された場合には、デザインを施すための十分なスペースを確保することができない。また、中心角θ３が１４０度以上に設定された場合には、第１小時計７０および第２小時計８０が、第３小時計９０と干渉するため、外形を小さくしなければならない。したがって、電子時計１０は、中心角θ３を１２２度以上１４０度以下の範囲に設定することで、文字板１１にブランドロゴなどのデザインを施すためのスペースを確保することができる。
【０１０８】
また、第１小時計７０と第２小時計８０とは、文字板１１の１２時位置と６時位置とを結ぶ直線に対して線対称の位置に配置されているものと説明したが、これに限定するものではない。第１小時計７０と第２小時計８０とが、文字板１１の１２時位置と６時位置とを結ぶ直線に対して非対称の位置に配置されても、文字板１１のいずれかの位置に、デザインを施すためのスペースを確保することができる。
【０１０９】
また、本変形例では、文字板１１に、三つの小時計（第１小時計７０、第２小時計８０、第３小時計９０）を配置した構成を示したが、この構成に限定するもではない。文字板１１が第１小時計７０、第２小時計８０を含む三つ以上の複数の小時計を備えていたとしても、第１直線Ｌ１と第２直線Ｌ２とでなす中心角θ３が、１２２度以上１４０度以下であり、文字板１１の第１直線Ｌ１と第２直線Ｌ２とに挟まれた領域外に、第１小時計７０および第２小時計８０を除いた他の小時計を配置することで、同様の効果を得ることができる。
【０１１０】
また、本変形例では、第１小時計７０、第２小時計８０および第３小時計９０の形状は円形であるものと説明したが、他の形状を有した小時計であってもよい。例えば、扇形や楕円の形状を有する小時計であっても同様の効果を得ることができる。
【０１１１】
第１小時計７０、第２小時計８０および第３小時計９０の少なくとも一つの小時計の外形が異なっている。具体的には、第３小時計９０の外径Ｄ２は、第１小時計７０および第２小時計８０の外径Ｄ１と異なっている。少なくとも一つの小時計の外径を異ならせることにより、文字板１１のデザインの自由度および美観を向上させることができる。
【０１１２】
以上述べたように、本変形例に係る電子時計２００によれば、以下の効果を得ることができる。
電子時計２００は、第１小時計７０、第２小時計８０、第３小時計９０の複数の円形の小時計が設けられた文字板１１を備えている。第１小時計７０の中心７０ａは第１直線Ｌ１上に設けられ、第２小時計８０の中心８０ａは第１直線Ｌ１から１３２度に位置する第２直線Ｌ２上に設けられている。第１小時計７０と第２小時計８０とは、文字板１１の１２時位置と６時位置とを結ぶ直線に対して線対称の位置に配置されている。これにより、文字板１１は、隣り合う円形の第１小時計７０および第２小時計８０の円弧に沿って、文字板１１の１２時の外周方向にブランドロゴなどのデザインを施すスペースを効率的に確保して、視認性のよい大きさを有した三つの小時計（第１小時計７０、第２小時計８０、第３小時計９０）を備えることができる。
また、文字板１１には、第１小時計７０および第２小時計８０の外径Ｄ１より大きい外径Ｄ２を有する第３小時計９０が配置されているため、文字板のデザインの自由度および美観を向上させることができる。
したがって、ブランドロゴを表示するスペースと複数の円形の小時計（第１小時計７０、第２小時計８０、第３小時計９０）とを備え、デザインの自由度と美観とを向上させた電子時計２００を提供することができる。
【符号の説明】
【０１１３】
８…ＧＰＳ衛星、１０，２００…電子時計、１１…文字板、１５…カレンダー表示、２１，２２，２３，７１，８１，９１…指針、２４…時刻分表示、２５…指針軸、３０…外装ケース、３１…ケース、３２…ベゼル、３３…カバーガラス、３４…裏蓋、３５…都市表示、４０…ダイヤルリング、４３…時刻時表示（バーインデックス）、４５…時差表示、４６…タイムゾーン表示、５０…リュウズ、６１…Ａボタン、６２…Ｂボタン、６３…Ｃボタン、６４…Ｄボタン、７０…第１小時計、７２…積算分表示、８０…第２小時計、８２…衛星捕捉数表示、８３…受信結果表示、８４…時刻秒表示、９０…第３小時計、９２…積算時表示、９３…サマータイム表示、９４…充電量表示、９５…受信禁止表示、９６…受信モード表示、１１０…アンテナ体、１２０…回路基板、１２２…受信部、１２５…地板、１３０…二次電池、１３５…ソーラーパネル、１４０…駆動機構、１５０…制御部、１５３…ＣＰＵ、１５４…ＲＡＭ、１５５…ＲＯＭ、１５７…入力装置、１５９…データバス。
【図１】
2015169501.tif 000003
【図２】
2015169501.tif 000004
【図３】
2015169501.tif 000005
【図４】
2015169501.tif 000006
【図５】
2015169501.tif 000007
【図６】
2015169501.tif 000008
【図７】
2015169501.tif 000009
【図８】
2015169501.tif 000010